(57)【特許請求の範囲】
【請求項１】
脚２で支持された枠体１を設け、枠体１に設けた床３に便器１１を設置し、枠体１には少なくとも４箇所に支柱１７を着脱可能に立設し、支柱１７の上端部に上部フレーム１９を連設し、上部フレーム１９は上端部を上部連結具２０で着脱可能に連結し、前面側の支柱１７・１７の間に、扉体２８の基部側を軸３０で回動可能に設け、支柱１７と上部フレーム１９を幌３５で覆い、幌３５は正面側の上部を覆う正面上部幌３７を、弾力性を有する伸縮可能な幌で形成し、かつ、正面上部幌３７の下部に連設されて、扉体２８の表面を覆う扉用幌３９を扉体２８に固定し、扉用幌３９の前端側４０から正面上部幌３７の側端側３８の上部までを、側方の幌３６と分離しておき、扉体２８を開いたとき、扉用幌３９が開くと共に、正面上部幌３７の側端側３８が、扉体２８に引っ張られて伸長すると共に、正面上部幌３７が開かれるように形成した簡易トイレ。
【請求項２】
請求項１記載の簡易トイレにおいて、扉用幌３９を扉体２８に固定する機構に代えて、扉用幌３９を扉体２８の表面を摺動できるように設けると共に、扉用幌３９の前端側４０を弾力性を有する伸縮バンド４６で、扉体２８の前端部２９に向けて付勢した簡易トイレ。
【請求項３】
請求項１記載の簡易トイレにおいて、正面上部幌３７を、弾力性を有する伸縮可能に形成し、かつ、扉用幌３９を扉体２８に固定する機構に代えて、扉用幌３９を扉体２８の表面を摺動できるように設けると共に、扉用幌３９の前端側４０を弾力性を有する伸縮バンド４６で、扉体２８の前端部２９に向けて付勢した簡易トイレ。
【発明の詳細な説明】
【０００１】
【発明の属する技術分野】
本発明は、トイレを必要とする箇所に移送して、組み立てることにより簡単に設置できる簡易トイレに関する。
【０００２】
【従来の技術】
本件発明者らは、さきに、必要とする箇所に移送して、組み立てることにより設置できるトイレを考えた。
【０００３】
このトイレは、図７に示すように、トイレの床３を図示してない脚で支持し、この床３に便器１１を設置し、この便器１１の下方に図示してない汚物容器を設置し、そして、前記床３に図示してない支柱を立設し、この支柱を幌３５で覆ったものである。
【０００４】
そして、幌３５の入口の上部に架線５５を配置し、この架線５５に閉鎖用幌４１を吊り下げたものである。
【０００５】
【発明が解決しようとする課題】
前記トイレは、分解して移送することができ、そして、トイレを必要とするところで組み立てることにより、トイレを設置することができ便利である。
【０００６】
しかしながら、子供や、怪我などをしていて上方に手を伸ばせない者は、閉鎖用幌４１の開閉が難しかった。
そこで、本発明の発明者は、簡易トイレの最上部から最下部までを、大きな扉で開閉する簡易トイレを考えた。しかしながら、前記の如く、扉を大きく形成すると、簡易トイレの他の部分の骨組みも強固なものに形成しなければならず、簡易トイレとしては好ましくなかった。
【０００７】
本発明は、前記事項に鑑みなされたものであり、分解して移送でき、必要とするとき容易に組み立てることのできる簡易トイレの入口を、子供や、上方に手を伸ばせない者であっても容易に開閉できるようにすると共に、入口を大人が容易に出入りできる高さにすることを課題とする。
【０００８】
【課題を解決するための手段】
第１の発明は、脚２で支持された枠体１を設け、枠体１に設けた床３に便器１１を設置し、枠体１には少なくとも４箇所に支柱１７を着脱可能に立設し、支柱１７の上端部に上部フレーム１９を連設し、上部フレーム１９は上端部を上部連結具２０で着脱可能に連結し、前面側の支柱１７・１７の間に、扉体２８の基部側を軸３０で回動可能に設け、支柱１７と上部フレーム１９を幌３５で覆い、幌３５は正面側の上部を覆う正面上部幌３７を、弾力性を有する伸縮可能な幌で形成し、かつ、正面上部幌３７の下部に連設されて、扉体２８の表面を覆う扉用幌３９を扉体２８に固定し、扉用幌３９の前端側４０から正面上部幌３７の側端側３８の上部までを、側方の幌３６と分離しておき、扉体２８を開いたとき、扉用幌３９が開くと共に、正面上部幌３７の側端側３８が、扉体２８に引っ張られて伸長すると共に、正面上部幌３７が開かれるように形成して簡易トイレとした。
【０００９】
第２の発明は、第１の発明の簡易トイレにおいて、扉用幌３９を扉体２８に固定する機構に代えて、扉用幌３９を扉体２８の表面を摺動できるように設けると共に、扉用幌３９の前端側４０を弾力性を有する伸縮バンド４６で、扉体２８の前端部２９に向けて付勢して簡易トイレとした。
【００１０】
第３の発明は、第１の発明の簡易トイレにおいて、正面上部幌３７を、弾力性を有する伸縮可能に形成し、かつ、扉用幌３９を扉体２８に固定する機構に代えて、扉用幌３９を扉体２８の表面を摺動できるように設けると共に、扉用幌３９の前端側４０を弾力性を有する伸縮バンド４６で、扉体２８の前端部２９に向けて付勢して簡易トイレとした。
【００１１】
【発明の実施の形態】
以下図に基づいて本発明の実施の形態の説明をする。図１から図３は、本発明の一実施の形態の簡易トイレの説明用の図である。
【００１２】
この実施の形態は、断面が４角形の鋼製の角管を、図１に示すように、略方形となるように折曲して一体に接続し、枠体１を形成している。
そして、枠体１の上面には、ベニヤ板製の床３が敷設して設けてあり、この床３には便器挿入用の穴４が設けてあり、この穴４にＡＢＳ樹脂製の便器１１が設置してある。そして、枠体１の内側には、便器１１と平行状に図示してない桟が設けてあり、この桟は枠体１と共に床３を支えるように形成してある。
【００１３】
そして、便器１１の周縁部には、図示してない可撓性の合成樹脂製シートが接着して取付けてあり、この合成樹脂製シートは、前記床３の上面に敷設してある。
また、枠体１の４つの隅部の下面には、それぞれ、脚２が着脱可能に設けてあり、この脚２で枠体１を支持するように形成してある。
【００１４】
前記脚２は、ねじや凹凸部により着脱可能に形成しているが、枠体１の下側に水平方向に設けた軸により、脚２を枠体１の下面に折り畳むように形成することも可能である。
【００１５】
そして、脚２を折畳むように形成した場合は、枠体１と脚２を、折畳み式筋交いなどで固定できるようにする必要がある。
さらに、枠体１の内側の下側には、合成樹脂膜で形成した汚物容器１２が、図示してない取付具で取付けてある。
【００１６】
そして、前記枠体１の後方側の２箇所の隅部と、前方の２箇所の隅部より若干後方寄りの位置には、支柱装着用孔５が設けてあり、この枠体１の支柱装着用孔５の上側の床３と、図示してない前記合成樹脂製シートにも、支柱装着用孔５と同様の孔が設けてある。
【００１７】
そして、前記支柱装着用孔５の下側の枠体１内には、図示してない短かい棒を縦方向に固定して設けると良い。
そして、前記図示してない短かい棒を枠体１内に設けた場合は、前記支柱装着用孔５に、長さが略９０ｃｍの円形の鋼管製の支柱１７の下端が着脱可能に挿入され、この円形の管製の支柱１７は、前記図示してない短かい棒に外嵌して、枠体１に支柱１７が着脱可能に立設される。
【００１８】
そして、枠体１の４箇所に立設した円形の管製の支柱１７の上端は、それぞれ、中央部連結具１８から垂下して設けた短かい棒に、着脱可能に外嵌して連設し取付けてある。
【００１９】
そして、前記それぞれの中央部連結具１８から上方に伸びる短かい棒には、それぞれ円形の鋼管製の上部フレーム１９の下端を、着脱可能に外嵌して連設し取付けてある。
【００２０】
そして、前記それぞれの上部フレーム１９は、それぞれ内側に向けて湾曲させてあり、そして、この上部フレーム１９の先端は、上部連結具２０から、水平方向のやや下方を向いて突出する４本の短かい棒に着脱可能に外嵌して連結し取付けてあり、そして、前記上部連結具２０は、床３から略１８０ｃｍの高さに設けてある。
【００２１】
そして、４箇所に設けた中央部連結具１８から横方向に突出する短い棒には、トイレの前面側を除いた両側の側方と、後方の３方に、円形管製の桁状部材２１が着脱可能に外嵌して取付けてある。
【００２２】
そして、トイレの前面側の左側の支柱１７の下端部から内側の横方向に突出する下部の連結体２４ａと、前面側の左側の中央部連結具１８から内側の横方向に突出する短かい棒に着脱可能に外嵌された上部の連結体２４ｂの間には、縦方向に補助支柱２２が一体的に設けてある。
【００２３】
そして、トイレの前面側の右側の支柱１７の下端部から内側の横方向に突出する下部の連結体２４ａと、前面側の右側の中央部連結具１８から内側の横方向に突出する短かい棒に着脱可能に外嵌された上部の連結体２４ｂの間には、軸３０が回動自在に嵌着されている。
【００２４】
前記軸３０には、断面円形の鋼管で４角形の枠状に形成した扉体２８の基部側を、連結片３１を介して取付け、扉体２８を回動可能に設けている。
そして、前記扉体２８は、前面側の支柱１７・１７間の間隔より、横幅をかなり小さく形成しているが、扉体２８の横幅は、支柱１７・１７間の間隔と略同じに形成することも可能である。
【００２５】
そして、トイレの前面の床３の両側に設けた孔には、手摺２３の下端が着脱可能に挿入して設けてあり、手摺２３の上部は、前面側の中央部連結具１８から前方に突出する図示してない短かい棒に着脱可能に取付けてある。
【００２６】
そして、トイレの前面には、ステップ支持体５４で支持されたステップ５３が設けてある。
そして、連設された４本の支柱１７と、４本の上部フレーム１９を、頂部が閉鎖された筒状の幌３５で覆い、この幌３５は正面側の上部を覆う正面上部幌３７を弾力性を有する伸縮可能な幌で形成してある。
【００２７】
そして、前記正面上部幌３７は、メリヤス編の布、ゴム膜などの弾力性を有し伸縮性を有するシートで形成する。
そして、正面上部幌３７の下部に連設されて、扉体２８の表面を覆う扉用幌３９を、４角形の枠状に形成した扉体２８に固定して取付ける。
【００２８】
そして、前記扉体用幌３９の前端側４０から正面上部幌３７の側端側３８の上端部までを、側方の幌３６と分離しておく。
そして、扉体２８を回動して開いたとき、扉体２８と一緒に扉用幌３９が開き、それと共に、正面上部幌３７の側端側３８が、扉体２８の前端部２９の上部に引っ張られて伸張すると共に、正面上部幌３７の側端側３８が、扉体２８及び扉用幌３９と共に、開かれるように形成してある簡易トイレである。
【００２９】
前記実施の形態の簡易トイレは、扉体２８を閉鎖位置に回動させると、図１及び図２に示すように、簡易トイレの前面は、扉用幌３９及び正面上部幌３７によって閉鎖される。
【００３０】
前記の状態から扉体２８を、軸３０を中心として開方向に回動させると、扉体２８は図３に示すように開き、扉体２８に固定されている扉用幌３９も開く。
そして、扉用幌３９の上部に連設されている弾力性を有する伸縮可能な幌で形成されている正面上部幌３７は、扉用幌３９に引っ張られて引き延ばされながら開かれる。
【００３１】
さらに、扉体２８を開方向に回動させると、扉体２８と扉用幌３９はさらに開き、正面上部幌３７もさらに開かれる。
そして、本発明の扉体２８は、簡易トイレの前面の上部から下部までに設けられたものではなく、簡易トイレの全面の中央部から下部に設けられたものであるので、扉体２８の縦方向の長さを短かく形成したものである。
【００３２】
したがって、扉体２８を強固なものに形成しなくてもよく、簡易トイレの他の骨組も強固に形成しなくともよいものである。さらに、扉体２８は丈が短かいので、子供や怪我などをしていて上方に手を伸ばせない者であっても、扉体２８の開閉に、扉体２８を最もきしませない位置に、手によって力を加えることができ、扉体２８の開閉が容易にできるものである。
【００３３】
そして、扉体２８の丈が短かくても、扉体２８を開くと正面上部幌３７も一緒に開かれるので、出入口は縦方向に長くなり、大人でも出入が容易である。
図４から図６は、第２の発明と第３発明の一実施の形態の扉体２８に関する説明用の図である。
【００３４】
以下さきに記載した実施の形態の扉体２８に関する部分と同様の部分は、同一の符号を用い説明を一部省略した。
この実施の形態の扉体２８は、扉体２８の前端部２９の上端部と下端部であって、扉体２８の表面側となる位置に、扉体２８を形成する円形の管の内外を連通させる挿通孔４８・４８を設けており、扉体２８の前端部２９を形成する円形の管内に挿通した弾力性を有する伸縮バンド４６の両端を、前記挿通孔４８から円形の管の外部に取り出すように形成してある。
【００３５】
そして、この実施の形態の扉体２８の表面に設ける扉用幌３９は、扉体２８に固定せず、扉体２８の表面を縦方向及び横方向に摺動できるように設ける。
そして、前記扉体２８の前端部２９の円形の管内に挿入した弾力性を有する伸縮バンド４６の両端であって、前記挿通孔４８から、扉体２０の前端部２９の表面側に取り出された端部４７・４７を、扉用幌３９の上端部と下端部であって、扉用幌３９の前端側４０の裏面となる部分に固定して取付け、扉用幌３９の前端側４０を、扉体２８の前端部２９に向けて付勢して設けてある。
【００３６】
そして、図４に示す扉用幌３９の上部に接続する正面上部幌３７は、弾力性を有する伸縮可能な幌で形成する場合と、幌３５の側面などを形成している他の部分の幌と同様に格別弾力性などを有していない幌で形成する場合がある。
【００３７】
そして、この実施の形態では、扉体２８を閉ざしたときは、正面上部幌３７が、弾力性を有している場合も、また弾力性を有してない場合も、図４に示すようにして、正面上部幌３７と扉用幌３９は閉ざされる。
【００３８】
しかしながら、扉体２８が開かれた場合には、正面上部幌３７が弾力性を有する伸縮可能な幌で形成されている場合は、図５に示すように、正面上部幌３７と扉用幌３９は扉体２９の表面を、あまり大きく摺動しないが、正面上部幌３７が弾力性を有する伸縮可能な幌で形成されていない場合は、図６に示すように、正面上部幌３７と扉用幌３９は、扉体２８の表面を大きく摺動する。
【００３９】
そして、図５に示す実施の形態において、及び、第１の発明の実施の形態において、扉用幌３９も弾力性を有する伸縮可能な幌で形成することも可能である。さらに、図５及び図６において、正面上部幌３７と扉用幌３９が整然と画いてあるが、実際には、正面上部幌３７の下部と扉用幌３９は、しわが発生すると共に、やや上方に引き上げられた形となる。
【００４０】
【発明の効果】
本発明は、幌３５は正面側の上部を覆う正面上部幌３７を、弾力性を有する伸縮可能な幌で形成し、かつ、正面上部幌３７の下部に連設されて、扉体２８の表面を覆う扉用幌３９を扉体２８に固定し、扉用幌３９の前端側から正面上部幌３７の側端側３８の上端部までを、側方の幌３６と分離しておき、扉体２８を開いたとき、扉用幌３９が開くと共に、正面上部幌３７の側端側３８が、扉体２８に引っ張られて伸長すると共に、正面上部幌３７が開かれるように形成した簡易トイレである。
【００４１】
そして、本発明の扉体２８は、簡易トイレの前面の上部から下部までに設けられたものではなく、前面の下部のみに設けられたものであり、扉体２８の縦方向の長さを短く形成したものである。したがって、扉体２８を入口の縦方向の全長に設けたものの如く、強固に形成しなくてもよく、また、簡易トイレの他の骨組も強固に形成しなくともよいものである。
【００４２】
さらに、扉体２８は丈が短いので、子供や怪我などをしていて上方に手を伸ばせないものであっても、扉体２８の開閉に、扉体２８を最もきしませない位置に、手によって力を加えることができ、扉体２８の開閉が容易である。
【００４３】
そして、扉体２８の丈が短かくても、扉体２８を開くと正面上部幌３７も一緒に開かれるので、出入口は縦方向に長くなり、大人でも出入が容易である。
そして、扉用幌３９を扉体２８の表面を摺動できるように設けると共に、扉用幌３９の前端側４０を弾力性を有する伸縮バンド４６で、扉体２８の前端部２９に向けて付勢した発明は、さらに、扉体２８が回動されると、扉用幌３９は扉体２８の軸３０及び正面上部幌３７の向きに引っ張られて、扉体２８の表面を摺動して移動する。
【００４４】
したがって、扉体２８の開方向への回動を阻止しようとする正面上部幌３７及び扉用幌３９の抵抗力は減少して、扉体２８は容易に開くことができる。
そして、扉体２８を閉ざすと、扉用幌３９は、弾力性を有する伸縮バンド４６で自動的に元の位置に戻るので扉体２８の閉鎖も簡単である。
【図面の簡単な説明】
【図１】  本発明の一実施の形態の簡易トイレの説明用の図で、内部をも画いた斜視図
【図２】  本発明の一実施の形態の簡易トイレの説明用の図で、主として外部を画いた斜視図
【図３】  本発明の一実施の形態の簡易トイレの説明用の図で、扉体を少し開いた状態の斜視図
【図４】  他の発明の一実施の形態の簡易トイレの説明用の図で、扉体の部分を拡大して示す図
【図５】  他の発明の一実施の形態の簡易トイレの説明用の図で、扉体を開いた状態を拡大して示す図
【図６】  他の発明の他の実施の形態の簡易トイレの説明用の図で、扉体を開いた状態を拡大して示す図
【図７】  従来例を示す斜視図
【符号の説明】
１．枠体
２．脚
３．床
４．穴
５．支柱装着用孔
１１．便器
１２．汚物容器
１７．支柱
１８．中央部連結具
１９．上部フレーム
２０．上部連結具
２１．桁状部材
２２．補助支柱
２３．手摺
２４．連結体
２８．扉体
２９．前端部
３０．軸
３１．連結片
３５．幌
３６．側方の幌
３７．正面上部幌
３８．側端側
３９．扉用幌
４０．前端側
４１．閉鎖用幌
４６．弾力性を有する伸縮バンド
４７．端部
４８．挿通孔
５３．ステップ
５４．ステップ支持体
５５．架線
【図１】
0003809228.tif 000002
【図２】
0003809228.tif 000003
【図３】
0003809228.tif 000004
【図４】
0003809228.tif 000005
【図５】
0003809228.tif 000006
【図６】
0003809228.tif 000007
【図７】
0003809228.tif 000008